(57)【要約】【課題】  簡単に高品質の印刷を行う事が出来るカード作成システムを提供する。【解決手段】  印刷を行うカードの全体の印刷エリアを複数の印刷エリアに分けそれらの各印刷エリアにおける濃度情報を取得する印刷エリア濃度情報取得部と、前記印刷エリア濃度情報取得部から取得された各印刷エリアの濃度情報に対し２値化処理を行う２値化処理部と、前記２値化処理部で処理された２値情報に基づき印刷可能エリアを判定する判定部と、前記判定部で印刷可能と判定されたエリアのみに印刷を行う印刷部と、を有することを特徴とするカード作成システム。【選択図】      図５
2010239577.tif 000002
【特許請求の範囲】
【請求項１】
印刷を行うカードの全体の印刷エリアを複数の印刷エリアに分けそれらの各印刷エリアに
おける濃度情報を取得する印刷エリア濃度情報取得部と、
前記印刷エリア濃度情報取得部から取得された各印刷エリアの濃度情報に対し２値化処理
を行う２値化処理部と、
前記２値化処理部で処理された２値情報に基づき印刷可能エリアを判定する判定部と、
前記判定部で印刷可能と判定されたエリアのみに印刷を行う印刷部と、
を有することを特徴とするカード作成システム。
【請求項２】
前記判定部では前記印刷可能エリアでも一定数以上の個数がつながっていない場合にお
いては、その一定数以上の個数がつながっていない前記印刷可能エリアを印刷不可能エリ
アと判定することを特徴とする請求項１記載のカード作成システム。
【請求項３】
印刷を行うカードの全体の印刷エリアを複数の印刷エリアに分けそれらの各印刷エリアに
おける濃度情報を取得する印刷エリア濃度情報取得部と、
前記印刷エリア濃度情報取得部から取得された各印刷エリアの濃度情報に対し２値化処理
を行う２値化処理部と、
前記２値化処理部で処理された結果に基づき、印刷不可能エリアに修正を行う修正機構を
備え、修正の後に前記カードに印刷を行う印刷部と、
からなることを特徴とするカード作成システム。
【発明の詳細な説明】
【技術分野】
【０００１】
本発明は、カード作成システムに関する。
【背景技術】
【０００２】
現在様々なカードが普及している。そのカードにはさまざまな情報が記載されている。そ
のカードの中には裏面に変更情報記入用欄が設けられている等の情報が変更された場合上
書きする必要があるカードがある。
【０００３】
上書きが必要なカードは従来、ペンを用いて手書きで書き直すか、再度印刷装置に入れ
て印刷を行っていた。（特許文献１）
【先行技術文献】
【特許文献】
【０００４】
【特許文献１】特開２００８−２３９０６号公報
【発明の概要】
【発明が解決しようとする課題】
【０００５】
しかしながら、情報の変更を行う必要があるカードは今までの利用によりカード表面に
汚れがついている場合が多い。上記技術では、印刷予定場所が汚れているかを人が確認し
、消しゴムで消す、若しくは修正液で消す等の手間がかかる、または人が見逃した為に汚
れの上に印刷を行ってしまう等の課題が生じていた。
【０００６】
本発明は上記課題を解決するためになされたものであり、簡単に高品質の印刷を行う事
が出来るカード作成システムを提供することを目的とする。
【課題を解決するための手段】
【０００７】
上記課題を解決するため、本発明によるカード作成システムは、印刷を行うカードの全体
の印刷エリアを複数の印刷エリアに分けそれらの各印刷エリアにおける濃度情報を取得す
る印刷エリア濃度情報取得部と、前記印刷エリア濃度情報取得部から取得された各印刷エ
リアの濃度情報に対し２値化処理を行う２値化処理部と、前記２値化処理部で処理された
２値情報に基づき印刷可能エリアを判定する判定部と、前記判定部で印刷可能と判定され
たエリアのみに印刷を行う印刷部と、を有することを特徴とする。
【発明の効果】
【０００８】
本発明によれば、簡単に高品質の印刷を行う事が出来るカード作成システムがえられる
。
【図面の簡単な説明】
【０００９】
【図１】本発明のカード作成システムでのカード作成に用いられるカードＣの一例を示す外観図。
【図２】第１の実施例におけるカード作成システムの一実施形態を示す構成図。
【図３】第１の実施例におけるカードのエリア情報テンプレート１０の概略図。
【図４】第１の実施例におけるカードＣの表面画像にエリア情報テンプレート１０を重ねた状態の概略図。
【図５】第１の実施例におけるカードＣの表面画像とテンプレートを重ねた情報に２値化処理を行った場合のカード表面画像の概略図。
【図６】第１の実施例における判定部３ｇの判定処理のフローチャート。
【図７】第１の実施例における一定数Ｚが３であった場合の仮印刷不可能エリア１４を示したカードＣの表面画像の概略図。
【図８】第１の実施例における印刷装置４の内部構成を示す断面図。
【図９】第１の実施例における印刷装置４の制御系の構成を示すブロック図。
【図１０】第１の実施例におけるカード作成システムの動作を示すフローチャート。
【図１１】第２の実施例におけるカード作成システムの一実施形態を示す構成図。
【図１２】第２の実施例における印刷装置５０の内部構成を示す図。
【図１３】第２の実施例における印刷装置５０の制御系の構成を示すブロック図。
【図１４】第２の実施例のカード作成システム１００を用いたカードの発行処理を示すフローチャート。
【発明を実施するための形態】
【００１０】
以下、本発明の実施の形態を図面を参照して詳細に説明する。  
初めに本発明のカード作成システムに用いられるカードについて説明する。図１は本発明
のカード作成システムでのカード作成に用いられるカードＣの一例を示す外観図である。
カードにはこのように印字される予定箇所に汚れが付着している場合がある。
【００１１】
図２は、この実施例におけるカードを作成するカード作成システム１の構成図を示すも
のである。
【００１２】
カード作成システム１は、カードの記載情報等のユーザデータを管理しているファイル
であるスキャナ（印刷エリア情報取得手段）２と、全体の制御を行うコンピュータ３と、
印刷装置４がＬＡＮ（ローカルエリアネットワーク）により接続されている。
【００１３】
上記スキャナ２は、カードＣの表面画像（特にカード表面の情報記載予定エリア）を電
子画像として取得する為に用いられる。
【００１４】
上記コンピュータ３は、全体の制御を行い、スキャナ２及び印刷装置４との情報を処理
する制御部３ａを備える。制御部３ａには記憶部３ｂ、イメージ処理部３ｃ、輝度検出部
３ｄ、濃淡計算部３ｅ、２値化処理部３ｆ、判定部３ｇが接続されている。
【００１５】
記憶部３ｂはカードのエリア情報テンプレート１０を記録する。図３にカードのエリア
情報テンプレート１０の概略図を示す。このテンプレートはカードＣ表面上で情報を記載
しなければならないエリアを画像上で認識し、２値化処理を行う単位である小エリア１１
を決定するのに用いられる。
【００１６】
イメージ処理部３ｃは記憶部３ｂに記憶されたエリア情報テンプレート１０をスキャナ
で取り込んだ表面画像に重ね合わせ複数の小さなエリア（以下、小エリア１１）に分割す
る。この小エリア１１のサイズはカードに入力される文字の大きさとほぼ同一であること
が望ましい。例えば図１に示した汚れたカードＣにエリア情報テンプレート１０を重ねた
場合を考える。図４にカードＣの表面画像にエリア情報テンプレート１０を重ねた状態の
概略図を示す。このようにカードＣの表面画像が小エリア１１で区切られた状態の情報が
得られる。
【００１７】
輝度検出部３ｄはイメージ処理部３ｃで決定された小エリア１１内の画素の輝度を検出
する。
【００１８】
濃淡計算部３ｅは輝度検出部３ｄから検出された小エリア１１内の画素の輝度値の平均
値を計算して、それを小エリア１１内の濃淡として決定する。
【００１９】
２値化処理部３ｆは濃淡計算部３ｅで決定された値を規定の計算値に当てはめ２値化処
理を行う。２値化処理は画像の濃淡をｆ（ｘ，ｙ）とした場合に以下のように求められる
。
【００２０】
（式１）
ｆＴ（ｘ，ｙ）＝１  （ｆ（ｘ，ｙ）≧Ｔの時）
ｆＴ（ｘ，ｙ）＝０  （ｆ（ｘ，ｙ）≦Ｔの時）
Ｔ：閾値
求められた値で１の値が出た小エリア１１を汚れたエリアとして印刷不可能エリア１３、
及び０の値が出た小エリア１１は印刷可能エリア１２であるとする。図５にカードＣの表
面画像の小エリア１１内に２値化処理を行った場合のカード表面画像の概略図を示す。２
値化処理部３ｆはこの処理結果を判定部３ｇに送信する。
【００２１】
判定部３ｇは２値化処理部３ｆでの処理結果を制御部３ａから受信し、印刷可能エリア１
２の数及び入力された情報を比較して印刷が可能であるか否かを判断する。
【００２２】
判定部３ｇは判定制御部３１ｇ、文字数計算部３２ｇ、印刷エリア決定部３３ｇで構成さ
れる。
【００２３】
判定部制御部３１ｇは制御部３ａから情報を受け取る、又は送信し、判定部全体の制御を
制御し、判定部３ｇでの処理結果に基づく最終印刷可能エリアと印刷すべき文字数を比較
し、最終印刷可能エリアの数のほうが印刷すべき文字数より多いか、つまり印刷が可能か
不可能かの最終判断を行う。文字数計算部３２ｇは２値化処理の結果に基づいて印刷可能
エリア１２の配置から印刷可能エリア１２が一定数Ｚ以上並んでいない箇所があるかを確
認し、その情報を印刷エリア決定部３３ｇに送信する。印刷エリア３３ｇは文字数計算部
３２ｇから送信された印刷可能エリア１２の並びの個数に基づいて、その個数が一定値以
下であった場合には仮印刷不可能エリア１４を設定する処理を行い、その後判定制御部３
１ｇにその情報を送信する。
【００２４】
図６に判定部３ｇの判定処理のフローチャートを示す。
【００２５】
初めに判定制御部３１ｇに制御部３ａから２値化処理部３ｆでの画像処理結果の情報およ
び入力された情報の文字数（以下、印刷予定文字数）が送付される（Ｓ１）。次に、文字
数計算部３２ｇは制御部３ａから送付された印刷可能エリア１２の配置から印刷可能エリ
ア１２が一定数Ｚ以上並んでいない箇所があるかを確認する（Ｓ２）。文字数計算部３２
ｇが印刷可能エリア１２が一定数Ｚ以上並んでいない箇所（Ｓ２、Ｙｅｓ）がある場合に
はその位置情報を印刷エリア決定部３３ｇにその旨信号を送付する。印刷エリア決定部３
３ｇでは印刷可能エリア１２を仮印刷不可能エリア１４として決定する（Ｓ３）。
【００２６】
例えばＺ＝３であった場合を考える。図７は一定数Ｚが３であった場合の仮印刷不可能エ
リア１４を示したカードＣの表面画像の概略図を示す。図５に示した２値化処理の結果を
文字数計算部３２ｇで計算され、その結果が印刷エリア決定部３３ｇに送信されると、印
刷エリア決定部３３ｇで図７に示すように１個のみの印刷可能エリア１２及び２個並んだ
印刷可能エリア１２は仮印刷不可能エリア１４とする。印刷可能エリア１２が一定数Ｚ以
上並んでいない箇所が無かった場合（Ｓ２、Ｎｏ）、及び印刷可能エリア１２が一定数Ｚ
以上並んでいない箇所があってかつ仮印刷不可能エリア１４が設定された場合（Ｓ３）に
は、印刷エリア決定部３３ｇは判定制御部３１ｇに決定した印刷可能エリア１２の情報を
送付する。
【００２７】
判定制御部３１ｇは制御部３ａから印刷予定の文字数の情報を受け取り、印刷エリア決定
部３３ｇで決定された印刷可能エリア１２の数が印刷予定の文字数と同一もしくは上回っ
ているかを確認する（Ｓ４）。
【００２８】
印刷可能エリア１２の数が印刷予定文字数と同一もしくは上回っている場合には判定制御
部３１ｇは制御部３ａに印刷可能の通知及び仮印刷不可能エリア１４を除いた最終の印刷
可能なエリアを送付する（Ｓ５ａ）。
【００２９】
印刷可能エリア１２の数が印刷予定の文字数と同一もしくは上回っていない場合には判定
制御部３１ｇは制御部３ａに印刷不可能と通知する（Ｓ５ｂ）。
【００３０】
印刷装置４は、上記制御部３ａにより供給されるデータを、カードＣの表面上に印刷する
ものである。
【００３１】
図８は印刷装置４の内部構成を示す断面図である。印刷装置４では、印刷が予定される
カードＣがカード挿入機構４１に挿入し搬送路４２を矢印ａ方向に搬送されるようになっ
ている。搬送されたカードＣは印刷機構４３で情報を印刷され、カード排出機構４４に排
出される。
【００３２】
図９は、印刷装置４の制御系の構成を示すブロック図である。印刷装置４の全体の制御を
司るＣＰＵ４５、カード挿入機構４１を駆動する挿入ドライバ４１ａ、搬送機構４２を駆
動する搬送ドライバ４２ａ、印刷機構４３を駆動する印刷ドライバ４３ａ、及びカード排
出機構４４を駆動する排出ドライバ４４ａから構成されている。
【００３３】
上記ＣＰＵ４５は、制御部３ａから受信した印字情報に基づいて各ドライバ４１ａ〜４
４ａを制御し、カードの表面あるいは裏面の印刷処理を行う。
【００３４】
また、コンピュータ３には情報若しくはシステムの自動及び手動の切り替え設定等を入力
するキーボード、情報やスキャナ２に情報が記載されるべき面（印刷エリア）を表示させ
る表示部６が接続されている。
【００３５】
以降、カードの発行処理について図１０に示すフローチャートを参照しつつ説明する。
【００３６】
図１０はカード作成システムの動作を示すフローチャートである。
【００３７】
操作者は、申請書に基づいて、キーボード６によりコンピュータ３へ印刷情報を入力する
（Ｓ２１）。次にコンピュータ３は、スキャナ２に挿入されたカードの表面画像情報を、
ＬＡＮを介して制御部３ａに受信する（Ｓ２２）。
【００３８】
制御部３ａは表面画像情報を、イメージ処理部３ｃに送信し、イメージ処理部３ｃは記憶
部３ｂに記憶されたエリア情報テンプレートをスキャナで取り込んだ表面画像に重ね合わ
せ複数の小さなエリア（以下、小エリア１１）に分割する（Ｓ２３）。
【００３９】
イメージ処理部３ｃで決定された小エリア１１の情報は輝度検出部３ｄに送信され、輝
度検出部３ｄでは小エリア１１内の画素から輝度を検出する（Ｓ２４）。
【００４０】
輝度検出部３ｄで計算された輝度は濃淡計算部３ｅへ送信され、濃淡計算部３ｅは小エ
リア１１内の画素の輝度値の平均値を計算して、それを小エリア１１内の濃淡として決定
する（Ｓ２５）。
【００４１】
次に、濃淡計算部３ｅは小エリア１１の濃淡情報を２値化処理部３ｆに送り、２値化処理
部３ｆでは小エリアの一つ一つに２値化処理を行う。２値化処理結果を判定部３ｇに送付
する（Ｓ２６）。
【００４２】
判定部３ｇでは判定処理を行い、判定処理の結果印刷が可能であるか否か及び最終印刷可
能エリア１２の情報を判定処理結果として制御部３ａに送る（Ｓ２７）。
【００４３】
判定部３ｇから情報を受け取った後、制御部３ａが自動処理設定で無い場合（Ｓ２８、Ｎ
ｏ）には表示部５に判定処理結果として表示部５に表示させる（Ｓ２９）。表示部５で操
作者は印刷可能エリア１２を決定し（Ｓ３０）、制御部３ａは印刷装置４に印刷可能エリ
ア１２及び印刷開始の信号を送る（Ｓ３３）。
【００４４】
判定部３ｇから情報を受け取った後、制御部３ａが自動処理設定である場合には（Ｓ２８
、Ｙｅｓ）、判定部３ｇでの判定結果が可である場合（Ｓ３１、Ｙｅｓ）には制御部３ａ
は印刷装置４に印刷可能エリア１２に印刷予定文字を表示させた印刷情報及び印刷開始の
信号を送る（Ｓ３３）。判定部３ｇでの判定結果が不可である場合（Ｓ３１、Ｎｏ）には
印刷を中止する（Ｓ３２）
上記システムを用いることにより、カード表面の汚れた部分に印刷される事がなく、印刷
結果が読みとりにくい等の問題が無い。
【００４５】
また、上記システムを用いることにより、印刷可能エリア１２が飛び飛びである場合には
判定部はある一定の個数以上印刷可能エリア１２がつながっていない場合にはＺに満たな
い仮印刷可能エリア１２を印刷不可能エリア１３として処理する。仮印刷不可能エリア１
４には印刷不可能エリア１３と同様に印刷が行われる事が無く、より自然な文面を印刷す
ることが可能となる。
【００４６】
次に第２の実施例を説明する。この実施例では２値化処理の結果、印刷が不可能なエリア
に対して修正テープ処理を行う点で第１の実施例とは異なる。以降の説明で第１の実施例
と同一部分に関しては同一番号を用いて説明する。
【００４７】
図１１は、第２の実施例に係るカードを作成するカード作成システム１００の構成図
を示すものである。第１の実施例とは判定部３ｇが存在しない、及び修正機能付き印刷装
置５０が接続されている点で異なるが、それ以外の点は同一である。
【００４８】
図１２は第２の実施例における印刷装置５０の内部構成を示すものである。印刷装置５０
内部の印刷機構より搬送路上流側に修正機構５５が設けられている。修正機構５５はＣＰ
Ｕ５６の指示に従いカード表面上に修正用テープ５５ａを貼り付ける。印刷装置５では、
印刷が予定されるカードＣがカード挿入機構５１に挿入し搬送路５２を矢印Ａ方向に搬送
されるようになっている。搬送されたカードＣは修正機構５５でＣＰＵの指示に従いカー
ド表面上に修正用テープ５５ａを貼り付ける。印刷機構５３で情報を印刷され、カード排
出機構５４に排出される。
【００４９】
図１３は、印刷装置５０の制御系の構成を示すブロック図である。印刷装置５５の全体の
制御を司るＣＰＵ５６、カード挿入機構５１を駆動する挿入ドライバ５１ａ、搬送機構５
２を駆動する搬送ドライバ５２ａ、修正機構５５を駆動する修正ドライバ５５ａ、印刷機
構５３を駆動する印刷ドライバ５３ａ、及びカード排出機構５４を駆動する排出ドライバ
５４ａから構成されている。
【００５０】
上記ＣＰＵ５４は、制御部３ａから受信した印字情報に基づいて各ドライバ５１ａ〜５
４ａを制御し、カードの表面あるいは裏面の印刷処理を行う。
【００５１】
以降、第２の実施例のカードの発行処理について図１３に示すフローチャートを参照しつ
つ説明する。
【００５２】
図１４は第２の実施例におけるカード作成システム１００を用いたカードの発行処理を示
すフローチャートである。
【００５３】
操作者は、申請書に基づいて、キーボード６によりコンピュータ３へ印刷情報を入力する
（Ｓ５１）。次にコンピュータ３は、スキャナ２に挿入されたカードの表面画像情報を、
ＬＡＮを介して制御部３ａに受信する（Ｓ５２）。
【００５４】
制御部３ａは表面画像情報を、イメージ処理部３ｃに送信し、イメージ処理部３ｃは記憶
部３ｂに記憶されたエリア情報テンプレートをスキャナで取り込んだ表面画像に重ね合わ
せ複数の小さなエリア（以下、小エリア１１）に分割する（Ｓ５３）。
【００５５】
イメージ処理部３ｃで決定された小エリア１１の情報は輝度検出部３ｄに送信され、輝
度検出部３ｄでは小エリア１１内の画素から輝度を検出する（Ｓ５４）。
【００５６】
輝度検出部３ｄで計算された輝度は濃淡計算部３ｅへ送信され、濃淡計算部３ｅは小エ
リア１１内の画素の輝度値の平均値を計算して、それを小エリア１１内の濃淡として決定
する（Ｓ５５）。
【００５７】
次に、濃淡計算部３ｅは小エリア１１の濃淡情報を２値化処理部３ｆに送り、２値化処理
部３ｆでは小エリアの一つ一つに２値化処理を行う。２値化処理結果を制御部３ａに送付
する（Ｓ５６）。
【００５８】
制御部３ａの設定が自動処理設定でない場合（Ｓ５７、Ｎｏ）には表示部５に処理結果を
表示部５に表示させる（Ｓ５８）。表示部５で操作者は修正エリア１５を決定し（Ｓ５９
）、制御部３ａは印刷装置５０に印刷可能エリア１２及び印刷開始の信号を送り、印刷装
置５０は修正エリア１５への修正用テープの貼り付けを開始する（Ｓ６１）。
【００５９】
制御部３ａの設定が自動処理設定である場合（Ｓ５７、Ｙｅｓ）には制御部３ａでは２値
化の処理を行った結果ｆＴ（ｘ，ｙ）＝１となった小エリア１１、つまり印刷不可能エリ
ア１３に関しては修正エリア１５と決定する（Ｓ６０）。制御部３ａは印刷装置５０に修
正印刷可能エリア及び印刷開始の信号を送り、修正機構５５は修正エリア１５への修正用
テープの貼り付けを開始する（Ｓ６１）。印刷機構５３は修正エリア１５の修正が終了し
たら、修正が完了した修正エリア１５及び印刷可能エリア１２への印刷を開始する（Ｓ６
２）。
【００６０】
第２の実施例では汚れが酷い、つまり２値処理の結果として印刷可能エリア１２が少ない
と判断されたカードでも汚れの上に修正用テープの貼り付けを行う事により、その上から
必要な情報を記載する事が出来る。
【００６１】
また第１の実施例及び実施例２の印刷装置には両面用に反転機構を設けても良い。
【００６２】
印刷情報はコンピュータの手入力のみならず、コンピュータに送信された情報やあらか
じめコンピュータに記録されていた情報等でも良い。
【００６３】
さらに上記された２値処理部の閾値Ｔは必要に応じて操作者がキーボードを用いて設定の
変更をすることが可能であっても良い。
【符号の説明】
【００６４】
１…カード作成システム、２…スキャナ、３…コンピュータ、３ａ…制御部、３ｂ…記憶
部、３ｃ…イメージ処理部、３ｄ…輝度検出部、３ｅ…濃淡計算部、３ｆ…２値化処理部
、３ｇ…判定部、４…印刷装置、５…表示部、６…キーボード、１０…エリア情報テンプ
レート、１１…小エリア、１２…印刷可能エリア、１３…印刷不可能エリア、１４…仮印
刷不可能エリア、１５…修正エリア
【図１】
2010239577.tif 000003
【図２】
2010239577.tif 000004
【図３】
2010239577.tif 000005
【図４】
2010239577.tif 000006
【図５】
2010239577.tif 000007
【図６】
2010239577.tif 000008
【図７】
2010239577.tif 000009
【図８】
2010239577.tif 000010
【図９】
2010239577.tif 000011
【図１０】
2010239577.tif 000012
【図１１】
2010239577.tif 000013
【図１２】
2010239577.tif 000014
【図１３】
2010239577.tif 000015
【図１４】
2010239577.tif 000016